(57)【特許請求の範囲】
【請求項１】
（ａ）層状粘土鉱物を粉末担体に担持した複合吸着剤
（ｂ）水
（ｃ）ゲル化剤
を混合し、これをゲル化せしめることにより得られる、（ａ）を水ゲル中に分散してなるゲル状脱臭剤。
【請求項２】
層状粘土鉱物が天然または合成の層状のアルミノケイ酸塩であり、粉末担体が微粉末シリカまたは微粉末アルミナである請求項第１項記載のゲル状脱臭剤。
【請求項３】
層状のアルミノケイ酸が、フライポンタイトである請求項第２項記載のゲル状脱臭剤。
【請求項４】
ゲル化剤がカラギーナン、ジェランガム、カンテン、ゼラチン、グアーガム、ペクチン、ローカストビーンガム、キサンタンガム、アルギン酸ソーダまたはセルロース誘導体である請求項第１項ないし第３項の何れかの項記載のゲル状脱臭剤。
【発明の詳細な説明】
【０００１】
【発明の属する技術分野】
本発明はゲル状の脱臭剤に関し、更に詳細には、アンモニア、硫化水素等の悪臭に対して優れた消臭効果を有するゲル状の脱臭剤に関する。
【０００２】
【従来の技術】
従来より、身の回りの悪臭を除去するための消臭剤や脱臭剤（以下、両者を合わせて「消臭・脱臭剤」という）が数多く提供されているが、これらは主に次の２種のものに分けられている。
【０００３】
まず、活性炭等のような物理吸着能を有する成分を通気性の袋や容器等に収納し、物理吸着により悪臭成分を除去する脱臭剤が知られている。 しかしこのタイプの物理吸着型脱臭剤は、脱臭剤の寿命、すなわち脱臭作用の終点が分かりにくいという欠点があった。 また、このタイプの脱臭剤は、一般に粉粒体状の成分を用いることが多く、脱臭剤としての形態が制限されるという問題点もあった。
【０００４】
一方、植物抽出液や有機酸塩等のような悪臭成分と反応する成分を組成中に配合し、これをゲル化剤によりゲル化した消臭剤も知られている。 このタイプの化学反応型消臭剤では、上記したような欠点や問題点はないが、酸性、アルカリ性の両方の悪臭に対して効果の高い消臭成分はなく、複数の成分の組合せが必要となること、あるいは十分に高い消臭効果を得るためには大量の消臭成分が必要であり、コストが高くなるという欠点があった。
【０００５】
【発明が解決しようとする課題】
本発明の課題は、上記の物理吸着型脱臭剤や化学反応型消臭剤の欠点を解消し、前記両タイプの消臭・脱臭剤の利点のみを合わせ持った、新しいタイプの脱臭剤を提供することである。
【０００６】
【課題を解決するための手段】
本発明者は、上記課題を解決すべく、消臭・脱臭剤について鋭意研究を行った結果、基材としてゲル製剤を用い、これに脱臭成分として吸着型のものを用いれば経済性の高い脱臭剤が得られることに思い至った。 しかしながら、活性炭等従来知られている吸着型の脱臭成分では、ゲル製剤のような水や油分等を含む系ではこれらが先に吸着し、その作用が発揮できなかった。
【０００７】
そこで、更に溶液中でもその作用を発揮することのできる消臭・脱臭成分について検索を行っていたところ、層状粘土鉱物を吸着成分とする特定の複合材料はこの条件を満たすものであることを見出し、本発明を完成した。
【０００８】
すなわち本発明は、層状粘土鉱物を粉末担体に担持せしめた複合吸着剤を水ゲル中に分散してなるゲル状脱臭剤を提供するものである。
【０００９】
【発明の実施の形態】
本発明の脱臭剤の有効成分である、複合吸着剤は、層状粘土鉱物を粉末担体に担持せしめたものである。
【００１０】
層状粘土鉱物としては、八面体層と四面体層の２層構造よりなる層が数層ないし数十層に重なった天然または合成の層状のアルミノケイ酸塩が挙げられ、その例としては、モンモリロナイト、パイロフィライト、タルク、カオリン、フライポンタイト等が挙げられる。 この層状粘土鉱物としては、磨砕処理等により微細化したものを利用することが好ましい。
【００１１】
また、層状粘土鉱物を担持する粉末担体としては、微粉末シリカ、微粉末アルミナ等が利用できる。
【００１２】
この複合吸着剤の製造に当っては、層状粘土鉱物と粉末担体とを、例えば、１：１程度の割合で混合し、必要に応じて適当な溶媒を加えた後、十分に撹拌混合すれば良い。
【００１３】
なお、複合吸着剤として、市販の製品、例えば、ミズカナイトＨＰ等の商品名で市販されているアルミノケイ酸金属塩微結晶とシリカ微粒子の複合物を利用しても良い。 このミズカナイトは、例えば、５ＺｎＯ・Ａｌ2Ｏ3・３ＳｉＯ2・５Ｈ2Ｏで示すことのできるフライポンタイトと呼ばれる含亜鉛合成アルミノケイ酸塩と非晶質シリカの複合物である。
【００１４】
本発明の脱臭剤は、上記の複合吸着剤を適量の水およびゲル化剤と混合し、従来公知の方法にしたがってゲル化せしめることにより製造される。 具体的には、ゲル化剤、複合吸着剤および必要に応じた各種添加剤を水に加熱混合し、その後所定の形状の型に入れ冷却させることにより製造できる。
【００１５】
ゲル中の複合吸着剤の配合量は、ゲル構造に影響を与えない量であれば特に制限はなく、使用目的等に応じて適宜配合することができる。
【００１６】
一方、ゲルを形成するためのゲル化剤としては、カラギーナン、ジェランガム、カンテン、ゼラチン、グアーガム、ペクチン、ローカストビーンガム、キサンタンガム、アルギン酸ソーダ、セルロース誘導体等公知のものが使用できる。
【００１７】
また、ゲル中の各種添加剤としては、例えば、分散剤としてのエチレングリコール、プロピレングリコールなどのグリコール類等や、ゲル強化剤としての塩化ナトリウム等のアルカリ金属塩や塩化カルシウム等のアルカリ土類金属塩が挙げられる。
【００１８】
更に、防腐剤としてクロロイソチアゾール等の四級アンモニウム塩、安息香酸ナトリウム等の安息香酸塩、紫外線吸収剤としてベンゾフェノン系化合物、更には、色素や香料、植物抽出液等の他の消臭剤等の他の薬剤を配合することもできる。
【００１９】
なお、リモネンやパラフィン系溶剤をキャリヤーとし、脂肪酸等でゲル化させたオイルベースのゲルも知られているが、本発明の脱臭剤のためには、水ゲルの方が効果が高い。
【００２０】
斯くして得られる脱臭剤は、水ゲルであるため、ゲル中に含まれる水分が蒸散するに従ってゲル中の複合吸着剤が露出し、その作用を発揮するため、長期間に亘って効果が持続する。 そして、水ゲル中の水分が完全に蒸散するとゲルが収縮し、かつゲルの色が白っぽく代わるため、脱臭剤の寿命も容易に判定することができる。
【００２１】
【作用】
本発明で使用する複合吸着剤は、アルミノケイ酸塩の２層構造の有する固体塩基性および固体酸性の性質により、酸性や塩基性の悪臭物質を物理的・化学的に吸着するものである。 そして、本発明の消臭剤は、この複合吸着剤を水ゲル中に分散させてあるため、最初は表面の複合吸着剤が作用するが、使用にともないゲル中の水分が揮散し、ゲルが収縮、ひび割れするとゲル内部から新たな複合吸着剤が露出するため、終始安定した消臭効力を奏するのである。
【００２２】
【実施例】
次に実施例および試験例を挙げ、本発明を更に詳しく説明するが、本発明はこれら実施例等に何ら制約されるものではない。
【００２３】
実 施 例
ゲル状脱臭剤：
下記の表１に示した組成により、常法にしたがってゲル状の消臭剤を調製した。
【００２４】
0003955112.tif 000002
【００２５】
試 験 例
脱 臭 試 験 ：
実施例で調製した、本発明品１〜４及び比較品を２ｃｍ角の立方体にカットし、これを試験試料とした。 この試験試料１個を３リットルのデシケーターに入れ、悪臭ガスとしてアンモニアと硫化水素を注入した。
【００２６】
悪臭ガスの注入直後の濃度（初期濃度）と１時間後の濃度を検知管を用いて測定し、下記の式により消臭率を算出した。 その結果を表２に示す。
【００２７】
0003955112.tif 000003
【００２８】
0003955112.tif 000004
【００２９】
この結果から明らかなように、従来の植物抽出系消臭液を利用したゲル消臭剤では、不十分な消臭効果しか得られないが、本発明の脱臭剤では、ほぼ完全に悪臭を吸着した。
【００３０】
【発明の効果】
本発明のゲル脱臭剤は、酸性、アルカリ性の双方の悪臭を効率よく消臭、脱臭し、しかもその効果は、終始安定して持続するものである。
従って、他の消臭・脱臭剤に比べ少量で効果があり、また、ゲル状の脱臭剤であるので、ゲルの減少が終点の目安になるので、使用上も便利である。
以    上